(57)【要約】      （修正有）【課題】着用時の苦しい感覚を低減可能なマスクを提供する。【解決手段】マスク２’は、着用者の少なくとも鼻孔及び口を覆う覆い部位２１１’、２１２’と、この覆い部位を着用者の頭部に固定させるための装着用部位２２１、２２２と、覆い部位における上下方向の中心線に沿って取り付けられる形状保持材２３１、２３２、２３３であって、覆い部位の形成材よりも高い剛性を有しており、この形状保持材の伸長方向に沿って伸長する少なくとも一方の端辺の少なくとも一部が、この形状保持材を含む面内において起伏する波形状となっている形状保持材とを備えており、ここで、この覆い部位は、この中心線に沿って設けられた、形状保持材をその中に収納する袋状の部分である取り付け部２１Ａ’を備えている。また、この取り付け部である袋状の部分は、形状保持材を出し入れ可能となっていることも好ましい。【選択図】図４
0003229411.tif 000002
【実用新案登録請求の範囲】
【請求項１】
着用者の少なくとも鼻孔及び口を覆う覆い部位と、
前記覆い部位を当該着用者の頭部に固定させるための装着用部位と、
前記覆い部位における上下方向の中心線に沿って取り付けられる形状保持材であって、前記覆い部位の形成材よりも高い剛性を有しており、該形状保持材の伸長方向に沿って伸長する少なくとも一方の端辺の少なくとも一部が、該形状保持材を含む面内において起伏する波形状となっている形状保持材と
を備えており、
前記覆い部位は、当該中心線に沿って又は当該中心線上に設けられた、前記形状保持材をその中に収納する袋状の部分である取り付け部を備えている
ことを特徴とするマスク。
【請求項２】
当該少なくとも一方の端辺の少なくとも一部は、前記形状保持材を含む面内において起伏する、角を有さない波形状となっていることを特徴とする請求項１に記載のマスク。
【請求項３】
前記形状保持材の伸長方向に直交する横幅は、当該少なくとも一方の端辺の少なくとも一部を当該伸長方向に沿って進むにつれ、増加と減少とを繰り返して変動することを特徴とする請求項１又は２に記載のマスク。
【請求項４】
前記取り付け部である袋状の部分は、前記形状保持材を出し入れ可能となっていることを特徴とする請求項１から３のいずれか１項に記載のマスク。
【請求項５】
前記覆い部位は少なくとも２つの布製のパーツを含み、
前記取り付け部である袋状の部分は、前記少なくとも２つの布製のパーツを縫合、接着又は熱圧着して形成された、当該中心線に沿って伸長する部分であることを特徴とする請求項１から４のいずれか１項に記載のマスク。
【請求項６】
前記少なくとも２つの布製のパーツは、
当該鼻孔及び口から見てそれぞれ右耳側及び左耳側を被覆する第１の布パーツ及び第２の布パーツと、
当該中心線に沿って伸長する左右の両端部を重畳させることによって自ら当該袋状の部分を構成する第３の布パーツであって、当該左右の両端部が重畳した部分は、第１の布パーツの端部と第２の布パーツの端部と共にまとめて縫合、接着又は熱圧着されている第３の布パーツと
を含むことを特徴とする請求項５に記載のマスク。
【請求項７】
前記少なくとも２つの布製のパーツは、
当該鼻孔及び口から見てそれぞれ右耳側及び左耳側を被覆する第１の布パーツ及び第２の布パーツと、
当該中心線に沿って伸長するように設けられ、両者をもって当該袋状の部分を構成する第３の布パーツ及び第４の布パーツであって、右耳側の端部は共に第１の布パーツの端部に縫合、接着又は熱圧着されており、左耳側の端部は共に第２の布パーツの端部に縫合、接着又は熱圧着されている第３の布パーツ及び第４の布パーツと
を含むことを特徴とする請求項５に記載のマスク。
【請求項８】
第１の布パーツの前記端部、及び第２の布パーツの前記端部は共に、外側に向けて凸となる曲線状の端辺側の端部であることを特徴とする請求項６又は７に記載のマスク。
【請求項９】
前記取り付け部である袋状の部分は、前記マスクの内側が凹むように曲がった形状を有していることを特徴とする請求項１から８のいずれか１項に記載のマスク。
【請求項１０】
前記覆い部位は、伸縮性を有しており所定以上の最大熱吸収速度を示す接触冷感布を含むことを特徴とする請求項１から９のいずれか１項に記載のマスク。
【請求項１１】
前記マスクが当該着用者に着用された際、前記覆い部位における前記形状保持材の近傍部分と当該鼻孔及び口との離隔した位置関係が保たれた状態で、当該鼻孔及び口から見てそれぞれ右耳側及び左耳側となる２つの皮膚位置範囲を覆っている前記覆い部位の２つの部分が、当該着用者の呼吸に合わせて当該皮膚位置範囲に対し離隔したり接触したりするように、少なくとも当該２つの部分は、プリーツを有さず、当該接触冷感布を含む単一面状の布のみで構成されている
ことを特徴とする請求項１０に記載のマスク。
【請求項１２】
前記覆い部位は、少なくとも当該鼻孔及び口から見てそれぞれ右耳側及び左耳側となる２つの皮膚位置範囲を覆っている部分が、所定以上の最大熱吸収速度を示すおもて面と、該おもて面よりも低い最大熱吸収速度を示す裏面とを有する接触冷感布の単層で構成されており、
前記マスクは、前記接触冷感布のおもて面を当該着用者の顔側とすることもでき、または、前記接触冷感布の裏面を当該着用者の顔側とすることもできる
ことを特徴とする請求項１から１１のいずれか１項に記載のマスク。
【請求項１３】
前記覆い部位は、少なくとも当該鼻孔及び口から見てそれぞれ右耳側及び左耳側となる２つの皮膚位置範囲を覆っている部分が、所定以上の最大熱吸収速度を示す接触冷感布を最下層とし、該接触冷感布よりも低い最大熱吸収速度を示す布を最上層とした少なくとも２層の構造となっており、
前記マスクは、最下層の前記接触冷感布を当該着用者の顔側とすることもでき、または、最上層の前記布を当該着用者の顔側とすることもできる
ことを特徴とする請求項１から１１のいずれか１項に記載のマスク。
【請求項１４】
前記形状保持材は、縦方向に伸長した稜線をもって折れ曲がっていることを特徴とする請求項１から１３のいずれか１項に記載のマスク。
【請求項１５】
前記形状保持材は、少なくとも１つの貫通した通気孔を有することを特徴とする請求項１から１４のいずれか１項に記載のマスク。
【請求項１６】
前記形状保持材は、網目状の部分を有することを特徴とする請求項１から１５のいずれか１項に記載のマスク。
【考案の詳細な説明】
【技術分野】
【０００１】
本考案は、着用者の鼻孔や口を覆うマスクに関する。
【背景技術】
【０００２】
今日、マスクの着用は、風邪症候群の症状を呈した人にとって、また花粉飛来時に花粉症を患う人にとって、さらにはウイルス感染症拡大への対策として、非常に重要であることが広く認識されている。
【０００３】
ここで、例えば全国規模に拡大しつつあるウイルス感染症に対応して、外出時等にマスクの着用が強く推奨される状況では、相当の時間マスクを着用することになるので、マスクの装着感や付け心地を向上させることが大きな課題となる。
【０００４】
このような装着感向上のための対策として、例えば特許文献１には、マスク本体が肌対向面と非肌対向面とを備えていてプリーツ構造を有し、また、このマスク本体が、肌対向面の一部を構成し吸湿性を有するセルロース布帛と非肌対向面を構成する合成繊維布帛とを含み、セルロース布帛が合成繊維布帛よりも単位面積当たりの繊維端の数が多くなっており、さらに、このマスク本体が、着用者の鼻を覆う、合成繊維布帛からなる鼻カバー部であって、マスク本体における横方向に沿って延在する上端縁部からマスク本体の縦方向の少なくとも３０％の長さまで延在している鼻カバー部を有する、といったマスクが開示されている。ここで、このようなマスクによれば、使用時においてマスクの吸湿性を高めつつ、着用者の顔面における違和感を抑制し易く、優れた装着感が得られるとしている。
【０００５】
また、特許文献２には、着用者の顔面の対象部位を覆うマスク本体部と、マスク本体部を着用者の耳に係止するための左右一対の耳掛け部と、着用者の鼻腔を拡張する鼻腔拡張部とを備えるマスクであって、この鼻腔拡張部は、平板状の弾性部材と、マスク本体部を形成するシート材を介して弾性部材を着用者の鼻の鼻梁を挟んだ両側部分へ貼着する貼着部とを有することを特徴とするマスクが開示されている。ここで、このような鼻腔拡張部を有するマスクによれば、鼻呼吸を良好に行うことができ、さらに装着感も良好なものになるとしている。
【先行技術文献】
【特許文献】
【０００６】
【特許文献１】実用新案登録第３２１２９６７号公報
【特許文献２】特開２０１６−１７６１６５号公報
【考案の概要】
【考案が解決しようとする課題】
【０００７】
しかしながら、特許文献１及び２に記載されたような従来のマスクにおいては、その着用中に依然、息苦しさや暑苦しさといったような苦しい感覚の生じてしまうことが問題となっていた。
【０００８】
すなわち、例え特許文献１のプリーツ構造や、特許文献２の鼻腔拡張部・プリーツを採用したとしても、長時間又は繰り返しマスクを使用している場合に、又はマスクの構造によっては着用当初から、吸う動作を行うたびに、マスク本体の布部分が鼻孔や口に間近まで接近し又は張り付いてしまい、鼻呼吸や口呼吸の際に息苦しさを感じてしまう事態が発生しがちであった。
【０００９】
また、このようにマスク本体の布部分が鼻孔や口に間近まで接近したり張り付いたりすると、着用者は暑苦しさを感じてしまいがちとなる。特に、ウイルス感染症の拡大阻止のため、外出の際には夏場であってもマスクを長時間着用することが大いにあり得るが、その場合、着用者の暑苦しさは、熱中症の原因になる可能性もあり大きな問題となる。
【００１０】
そこで、本考案は、着用時の苦しい感覚を低減可能なマスクを提供することを目的とする。
【課題を解決するための手段】
【００１１】
本考案によれば、着用者の少なくとも鼻孔及び口を覆う覆い部位と、
覆い部位を当該着用者の頭部に固定させるための装着用部位と、
覆い部位における上下方向の中心線に沿って取り付けられる形状保持材であって、覆い部位の形成材よりも高い剛性を有しており、この形状保持材の伸長方向に沿って伸長する少なくとも一方の端辺の少なくとも一部が、この形状保持材を含む面内において起伏する波形状となっている形状保持材と
を備えており、
覆い部位は、当該中心線に沿って又は当該中心線上に設けられた、形状保持材をその中に収納する袋状の部分である取り付け部を備えている
ことを特徴とするマスクが提供される。
【００１２】
この本発明によるマスクにおいて、当該少なくとも一方の端辺の少なくとも一部は、この形状保持材を含む面内において起伏する、角を有さない波形状となっていることも好ましい。また、形状保持材の伸長方向に直交する横幅は、当該少なくとも一方の端辺の少なくとも一部を当該伸長方向に沿って進むにつれ、増加と減少とを繰り返して変動することも好ましい。さらに、取り付け部である袋状の部分は、形状保持材を出し入れ可能となっていることも好ましい。
【００１３】
また、本発明によるマスクの一実施形態として、覆い部位は少なくとも２つの布製のパーツを含み、
取り付け部である袋状の部分は、上記の少なくとも２つの布製のパーツを縫合、接着又は熱圧着して形成された、当該中心線に沿って伸長する部分であることも好ましい。
【００１４】
さらに、上記の少なくとも２つの布製のパーツは、
当該鼻孔及び口から見てそれぞれ右耳側及び左耳側を被覆する第１の布パーツ及び第２の布パーツと、
当該中心線に沿って伸長する左右の両端部を重畳させることによって自ら当該袋状の部分を構成する第３の布パーツであって、当該左右の両端部が重畳した部分は、第１の布パーツの端部と第２の布パーツの端部と共にまとめて縫合、接着又は熱圧着されている第３の布パーツと
を含むことも好ましい。
【００１５】
またさらに、上記の少なくとも２つの布製のパーツは、
当該鼻孔及び口から見てそれぞれ右耳側及び左耳側を被覆する第１の布パーツ及び第２の布パーツと、
当該中心線に沿って伸長するように設けられ、両者をもって当該袋状の部分を構成する第３の布パーツ及び第４の布パーツであって、右耳側の端部は共に第１の布パーツの端部に縫合、接着又は熱圧着されており、左耳側の端部は共に第２の布パーツの端部に縫合、接着又は熱圧着されている第３の布パーツ及び第４の布パーツと
を含むことも好ましい。
【００１６】
また、第１の布パーツの上記端部、及び第２の布パーツの上記端部は共に、外側に向けて凸となる曲線状の端辺側の端部であることも好ましい。また、本発明によるマスクにおいて、取り付け部である袋状の部分は、本マスクの内側が凹むように曲がった形状を有していることも好ましい。
【００１７】
さらに、本発明によるマスクの他の実施形態として、覆い部位は、伸縮性を有しており所定以上の最大熱吸収速度を示す接触冷感布を含むことも好ましい。また、この実施形態において、本マスクが当該着用者に着用された際、覆い部位における形状保持材の近傍部分と当該鼻孔及び口との離隔した位置関係が保たれた状態で、当該鼻孔及び口から見てそれぞれ右耳側及び左耳側となる２つの皮膚位置範囲を覆っている覆い部位の２つの部分が、当該着用者の呼吸に合わせて当該皮膚位置範囲に対し離隔したり接触したりするように、少なくとも当該２つの部分は、プリーツを有さず、当該接触冷感布を含む単一面状の布のみで構成されていることも好ましい。
【００１８】
また、本発明によるマスクにおいて、覆い部位は、少なくとも当該鼻孔及び口から見てそれぞれ右耳側及び左耳側となる２つの皮膚位置範囲を覆っている部分が、所定以上の最大熱吸収速度を示すおもて面と、このおもて面よりも低い最大熱吸収速度を示す裏面とを有する接触冷感布の単層で構成されており、
本マスクは、接触冷感布のおもて面を当該着用者の顔側とすることもでき、または、接触冷感布の裏面を当該着用者の顔側とすることもできることも好ましい。
【００１９】
さらに、本発明によるマスクにおいて、覆い部位は、少なくとも当該鼻孔及び口から見てそれぞれ右耳側及び左耳側となる２つの皮膚位置範囲を覆っている部分が、所定以上の最大熱吸収速度を示す接触冷感布を最下層とし、該接触冷感布よりも低い最大熱吸収速度を示す布を最上層とした少なくとも２層の構造となっており、
本マスクは、最下層の接触冷感布を当該着用者の顔側とすることもでき、または、最上層の布を当該着用者の顔側とすることもできることも好ましい。
【００２０】
さらに、本発明によるマスクにおける形状保持材は、縦方向に伸長した稜線をもって折れ曲がっていることも好ましく、また、少なくとも１つの貫通した通気孔を有することも好ましい。さらに、この形状保持材は、網目状の部分を有することも好ましい。
【考案の効果】
【００２１】
本考案のマスクによれば、着用時の苦しい感覚を低減することができる。
【図面の簡単な説明】
【００２２】
【図１】本考案によるマスクの一実施形態を示す模式図である。
【図２】本考案に係る形状保持材において取り得る種々の形状を示す模式図である。
【図３】本考案によるマスクの他の実施形態を示す模式図である。
【図４】本考案によるマスクの更なる他の実施形態を示す模式図である。
【図５】本考案によるマスクの更なる他の実施形態を示す模式図である。
【図６】本考案によるマスクの奏する効果を説明するための模式図である。
【図７】本考案によるマスクの更なる他の実施形態を示す模式図である。
【考案を実施するための形態】
【００２３】
以下に、本考案を実施するための形態について、添付図面を参照しながら詳細に説明する。なお、各図面において、同一の要素は、同一の参照番号を用いて示されている。また、図面中の構成要素内及び構成要素間の寸法比は、図面の見易さのため、それぞれ任意となっている。
【００２４】
図１は、本考案によるマスクの一実施形態を示す模式図である。また、図２は、本考案に係る形状保持材において取り得る種々の形状を示す模式図である。
【００２５】
図１に示した本実施形態のマスク１は、着用されることによって例えば、風邪症候群の症状を呈した人がウイルスや細菌を含んだ飛沫を外部にできるだけ飛散させないようにしたり、花粉飛来時に花粉症を患う人が花粉を体内へできるだけ取り込まないようにしたりすることが可能なものとなっている。また、ウイルス感染症拡大への対策として、特に外出時に着用されることによってその拡大抑制にも貢献するものとなっている。
【００２６】
具体的に、マスク１は、
（Ａ）着用者の少なくとも鼻孔及び口を覆う覆い部位（図１では、右覆い部位１１１及び左覆い部位１１２）と、
（Ｂ）覆い部位（右覆い部位１１１及び左覆い部位１１２）を着用者の頭部に固定させるための装着用部位（図１では、右装着用部位１２１及び左装着用部位１２２）と、
（Ｃ）覆い部位（右覆い部位１１１及び左覆い部位１１２）における「上下方向の中心線」（図１）に沿って取り付けられる形状保持材（１３１，１３２，１３３）であって、覆い部位（右覆い部位１１１及び左覆い部位１１２）の形成材よりも高い剛性を有しており、この形状保持材の伸長方向に沿って伸長する少なくとも一方の端辺（以下、長辺とする場合もあり）の少なくとも一部（図１では、形状保持材の両長辺における大部分）が、この形状保持材を含む面内において起伏する波形状となっている形状保持材（１３１，１３２，１３３）と
を備えており、
（Ｄ）覆い部位（右覆い部位１１１及び左覆い部位１１２）は、中心線（図１）上に又はその近傍に設けられた、形状保持材（１３１，１３２，１３３）をその中に収納する袋状の部分である取り付け部（図１では、袋状取り付け部１１Ａ）を備えている
ことを特徴としている。ここで以下、上記（Ｃ）の「上下方向の中心線」には、概ね上下に伸長した曲線状の中心線も含まれるものとする。
【００２７】
このように、マスク１においては、上記（Ｃ）の形状保持材（１３１，１３２，１３３）が、取り付け部（袋状取り付け部１１Ａ）によって中心線（図１）に沿って取り付けられている。これにより、マスク１の着用者が息を吸ったり吐いたりしても、覆い部位（右覆い部位１１１及び左覆い部位１１２）における形状保持材（１３１，１３２，１３３）の近傍部分と、着用者の鼻孔及び口との離隔した位置関係が、ほとんど変動することなく保持されるのである。またその結果、吸う動作を行うたびに、覆い部位（１１１，１１２）の一部が鼻孔や口に間近まで接近したり張り付いたりする事態を回避することが可能となる。すなわち、マスク１によれば、着用時の息苦しさや暑苦しさといった苦しい感覚を低減することができるのである。
【００２８】
また特に、ウイルス感染症の拡大が懸念される状況においては、外出の際には夏場であってもマスクを長時間着用することが大いにあり得るが、そのような場合でも、マスク１を着用することによって、例えば熱中症の予防に資することも可能となる。
【００２９】
さらに、形状保持材（１３１，１３２，１３３）は、着用時にマスク１が通常受ける外力によってもその形状を保持することが可能であるように、覆い部位（１１１，１１２）の形成材よりも高い剛性を有する材料で形成されている。具体的に、形状保持材（１３１，１３２，１３３）は、ポリプロピレン（ＰＰ）樹脂、ポリエチレンテレフタレート（ＰＥＴ）樹脂、ポリ塩化ビニル（ＰＶＣ）樹脂、又はポリエチレン（ＰＥ）樹脂で形成されており、一方、覆い部位（１１１，１１２）は、この後説明するような合成・天然繊維布や不織布で形成されていることも好ましい。なお、形状保持材（１３１，１３２，１３３）は、以上に述べたような合成樹脂のシートから切り出されたものであってもよく、または、当該合成樹脂の成型品とすることもできる。
【００３０】
ここで、形状保持材（１３１，１３２，１３３）の形成材料となり得るＰＰ樹脂やＰＥＴ樹脂は、必要となる剛性を有し、また食品容器の材料にも採用されるような安全性を備えており、顔近傍に位置することとなるマスク１の構成材料として、より好適となっている。ちなみに一般的に、ＰＥＴ樹脂は、ＰＰ樹脂と比較してより高い剛性（例えばヤング率や剛性率等の弾性率）を有しており、したがってＰＥＴ樹脂製の形状保持材は、袋状取り付け部１１Ａ（及び後に説明する袋状取り付け部２１Ａ、２１Ａ’、３１Ａ及び５１Ａ）に対しより挿入（収納）し易いものとなることが確認されている。
【００３１】
ただし勿論、形状保持材（１３１，１３２，１３３）は、他の形成材料、例えば鉛、鉛合金、アルミニウム、ステンレス等の金属で形成されていてもよく、また例えば、金属体を芯とした（被覆した）シリコン樹脂等の合成樹脂体であってもよい。いずれにしても、着用時にマスク１が通常受ける外力によっても形状保持材の形状を保持することができるならば、種々の材料が形成材料として採用可能である。
【００３２】
また、本実施形態における形状保持材１３１及び形状保持材１３２はいずれも、図１に示すように、縦方向（形状保持材の伸長方向）に伸長した稜線をもって折れ曲がっている。これにより、例えば横方向（形状保持材の伸長方向に直交する方向）の外力を受けても、その形状をより安定して保持することが可能となり、覆い部位（１１１，１１２）の一部が鼻孔や口に間近まで接近したり張り付いたりする事態をより確実に回避することができるのである。ここで、形状保持材１３１及び形状保持材１３２の横方向（幅方向）の断面はＶ字状となっているが、勿論これに限定されず、例えばＷ字状やＵ字状であってもよい。
【００３３】
さらに、袋状取り付け部１１Ａに取り付ける（挿入する）形状保持材として、折れ曲がりを有さない平板状の形状保持材１３３を採用することも可能である。形状保持材１３３は、折れ曲がりが存在しない分、袋状取り付け部１１Ａに挿入（収納）したり、袋状取り付け部１１Ａから取り出したりすることがより容易なものとなっている。ここで、形状保持材１３３を、曲面板状のものとすることも可能である。
【００３４】
また、本実施形態における形状保持材１３１は、形状保持材１３２とは異なり、縦方向（伸長方向）に進むにつれて曲がった形状（いわゆるバナナ形状）を有している。したがって、このような形状保持材１３１を、（この後説明するように）直線的に伸長した筒状である袋状取り付け部１１Ａに取り付ける（挿入・収納する）ことによって、マスク１の形状をその内側が凹むような形にし、当該形を維持することも可能となるのである。ちなみにこの場合、中心線（図１）も、形状保持材１３１の形状に合わせて曲がることになる。
【００３５】
なお、図１に示した形状保持材１３１は、稜線の裏側を内側に含むように（稜線が凸状となるように）湾曲しているが、逆に、稜線を内側に含むように（稜線が凹状となるように）湾曲していてもよい。いずれにしても、形状保持材１３１は、自身の湾曲した形状によりマスク１の内側が凹むような向きをもって取り付けられることが好ましいのである。
【００３６】
一方、形状保持材１３２は、直線的に伸長した形状を有しているが、これを直線的に伸長した筒状である袋状取り付け部１１Ａに取り付けることも可能である。ここで、このような態様であっても、覆い部位（１１１，１１２）の形成材が後述するような伸縮性を有する布材であれば、マスク１が着用者に着用されることによって、形状保持材１３２が、着用者の鼻先及び顎先を含む曲がったラインに沿って変形し、その形を維持するようにすることが可能となる。すなわちこのような態様でも、覆い部位（１１１，１１２）の一部が鼻孔や口に間近まで接近したり張り付いたりする事態を回避することができるのである。ちなみにこの場合も、中心線（図１）は、変形した形状保持材１３２の形状に合わせて曲がることになる。なお、形状保持材１３２は、稜線側（尖った側）を、マスク１の外側に向くように、取り付け部（袋状取り付け部１１Ａ）に取り付けることも好ましいが、逆に、マスク１の内側に向くように取り付けることも可能である。
【００３７】
また上記（Ｃ）に示したように、形状保持材（１３１，１３２，１３３）における少なくとも一方の長辺の少なくとも一部（図１では、両長辺の大部分）は、この「形状保持材を含む面」内において起伏する「波形状」となっている。ここで、この「形状保持材を含む面」は、形状保持材１３１では稜線で折れ曲がった曲面となっており、形状保持材１３２では稜線で折れ曲がった平面となっていて、形状保持材１３３では折れ曲がりのない平面となっている。以下、図２（Ａ）〜（Ｃ）を用いてこの「波形状」における種々の態様について説明を行う。
【００３８】
最初に図２（Ａ）には、形状保持材１３３の長辺において採用可能な形状として、種々の形状Ａ〜Ｇが示されている。ここで、形状Ａ〜Ｇはいずれも、形状保持材１３３を含む面内（図２では紙面内）において起伏する波形状となっている。また、これらの形状Ａ〜Ｇを採用した形状保持材１３３において、その（伸長方向に直交する左右方向の）横幅は、当該長辺の少なくとも一部を伸長方向に沿って進むにつれ、増加と減少とを繰り返して変動している。
【００３９】
さらに図２（Ａ）では、形状保持材１３３は、外接形状が概ね矩形となるような形状をとっているが、変更態様として当該横幅が伸長方向の中央あたりで最大値をとり、その外接形状が概ね紡錘形となるような形状のものであってもよい。または、当該横幅が伸長方向の上端若しくは下端あたりで最大値をとり、その外接形状が概ね伸長した台形となるような形状のものとすることも可能である。
【００４０】
また、更なる変更態様として、図２（Ｂ）に示したＧ’や図２（Ｃ）に示したＥ’のように、形状Ａ〜Ｇの各々において右長辺の波形状の位相と左長辺の波形状の位相とが伸長方向においてずれている（図２（Ｂ）及び（Ｃ）では半波長分だけずれている）ような形状Ａ’〜Ｇ’を採用することも可能である。また勿論、左右長辺が互いに異なる種別の波形状となっていてもよい。例えば、左長辺が形状Ａであって右長辺が形状Ｂであるような形状保持材１３３を用いることも可能である。
【００４１】
なお、形状保持材１３３における長辺の波形状は、以上に述べたような形状Ａ〜Ｇや形状Ａ’〜Ｇ’に限定されるものではなく、例えば、エッジが角となっているパルス状、エッジの丸まったパルス状や、連続する半円状、さらには互いに周波数の異なる複数の波が重畳した波形状等、何らかの波形を模した形状であれば様々なものが採用可能となっている。また、形状保持材１３３における片方の長辺のみが、以上に説明したような波形状となっていてもよい。ただし、両長辺が波形状となっていることが、この後に説明する効果を奏する上でより好ましいのである。
【００４２】
いずれにしても、以上に説明したような波形状の長辺を有する形状保持材１３３は、後に詳述する袋状の部分である取り付け部（図１では、袋状取り付け部１１Ａ）に収納されている状況において、着用時にマスク１が通常受けるような外力が加わったとしても、特に上下方向において動き難くなる。またその結果、当該袋状の部分（袋状取り付け部１１Ａ）の中でずれることなく安定して収まることになるのである。
【００４３】
これは、形状保持材１３３における横幅の最大部分が当該袋状の部分（袋状取り付け部１１Ａ）の内面にしっかり当たるように設計しておけば、形状保持材１３３は、自身の長辺における波の極大点あたりで当該袋状の部分の内面から相当の静摩擦力を受け、着用時にマスク１が通常受けるような外力が加わっても、上下方向に移動する（ずれる）ことが困難となることによる。この点、例えば直線状の長辺を有する概ね矩形の形状保持材と比較すると、形状保持材１３３は、より多くの（極大点あたりの）箇所でより大きな静摩擦力を受けることが理解されるのである。
【００４４】
このように、波形状の長辺を有する形状保持材１３３は、特に上下方向にずれることなく安定してマスク１（袋状取り付け部１１Ａ）に固定される。これにより、着用時の苦しい感覚の低減効果を安定的に奏することができ、また、装着者に対しずれによる違和感を与えずに済む分、より良好な装着感を提供することも可能となる。またさらに、袋状の部分（袋状取り付け部１１Ａ）の上端を開放しておき形状保持材１３３を出し入れ（着脱）可能にしている場合であっても、収納された形状保持材１３３が意図せず飛び出してしまう事態を極力回避することが可能となるのである。ちなみに本願考案者は、以上に説明したような作用効果の奏されることを、複数回の実験によって確認している。
【００４５】
さらに、上記のように袋状の部分（袋状取り付け部１１Ａ）が形状保持材１３３を出し入れ（着脱）可能となっている場合に、波形状の長辺を有する形状保持材１３３は、それほど大きな負担をかけることなく、袋状の部分（袋状取り付け部１１Ａ）に挿入（収納）されたり、また取り出されたりすることができる。ここで特に、形状保持材１１３は、以上に説明した形状Ａ〜Ｇや形状Ａ’〜Ｇ’の長辺のように、角を有さない曲線からなる波形状の長辺を有することも好ましい。また、挿入（収納）の際の頭部分（下端辺部分）や取り出しの際の頭部分（上端辺部分）も、角がなく丸まっていることも好ましい。このような形状の形状保持材１３３は、袋状の部分の内面に引っ掛かりやすい角の部分を有していないので、袋状の部分（袋状取り付け部１１Ａ）への挿入（収納）や取り出しが、より容易になるのである。ちなみに本願考案者は、以上に説明したような作用効果の奏されることも、複数回の実験によって確認している。
【００４６】
以上、図２を用いて形状保持材１３３における長辺の波形状の様々な態様を説明したが、これらの波形状は当然、形状保持材１３１や形状保持材１３２の長辺にも採用することができる。例えば、形状保持材１３１や形状保持材１３２の長辺において、形状Ａ〜Ｇや形状Ａ’〜Ｇ’を採用してもよい。また、このような波形状の長辺を有する形状保持材１３１や形状保持材１３２も、形状保持材１１３と同様、以上に説明したような作用効果を奏功するのである。
【００４７】
次に図１に戻って、上記（Ｄ）の袋状の部分である取り付け部は、覆い部位の一部分ではあるが、本実施形態において袋状取り付け部１１Ａとなっている。この袋状取り付け部１１Ａは、（覆い部位を構成する）２つの布製のパーツである第１布パーツ及び第２布パーツ（図１）を縫合、接着又は熱圧着して形成された、中心線（図１）に沿って伸長する袋状の部分となっている。具体的には図１に示したように、本実施形態の袋状取り付け部１１Ａは、第１布パーツの端部と第２布パーツとの端部を重畳させた上で、２列の縫い目が中心線（図１）を間に挟むこととなり、且つ当該２列の縫い目の間が直線的に伸長した筒状の袋となるように縫合することによって形成されている。
【００４８】
また、袋状取り付け部１１Ａは、下端から形状保持材（１３１，１３２，１３３）が出てこないように、袋の下端部を縫合、接着又は熱圧着等によって閉じていることも好ましい。ここで、形状保持材（１３１，１３２，１３３）を収納した上で袋の下端部も閉じてもよいが、本実施形態においては、袋状取り付け部１１Ａは、形状保持材（１３１，１３２，１３３）を出し入れ可能な形で取り付ける（収納する）のであり、具体的には、袋の上端をそのまま開放しておくか、または、形状保持材（１３１，１３２，１３３）が意図せず飛び出すことのないように当該上端に折り目や引っ掛かり等を入れた上で、形状保持材（１３１，１３２，１３３）を指でつまんで袋から取り出せるようにしておくことも好ましい。
【００４９】
いずれにしても、非着用時には形状保持材（１３１，１３２，１３３）を取り出しておくことによって、例えばマスク１を小さく折りたたんだり、マスク１の手洗いや専用装置による洗浄を行ったりすることも容易になるのである。
【００５０】
ここで、図２を用いてすでに説明したように、形状保持材（１３１，１３２，１３３）は、自身の横幅の最大部分が袋状の部分の内面にしっかり当たるように設計されていれば、波形状の端辺を有しているが故に、上下方向にずれることなく安定して袋状の部分（袋状取り付け部１１Ａ）内に固定される。これにより、着用時の苦しい感覚の低減効果を安定的に奏することができ、また、装着者に対しずれによる違和感を与えずに済む分、より良好な装着感を提供することも可能となる。さらに、袋状の部分（袋状取り付け部１１Ａ）の上端を開放しておき形状保持材１３３を出し入れ（着脱）可能にしている場合であっても、収納された形状保持材１３３が意図せず飛び出してしまう事態を極力回避することが可能となる。また一方で、波形状の長辺を有する形状保持材１３３は、それほど大きな負担をかけることなく、袋状の部分（袋状取り付け部１１Ａ）へ挿入（収納）されたり、袋状の部分（袋状取り付け部１１Ａ）から取り出されたりすることもできるのである。
【００５１】
なお、形状保持材（１３１，１３２，１３３）における（平らに伸ばした際の）左右方向の横幅の最大値は、例えば3〜15ミリメートル（ｍｍ）とすることができる。また、その厚みは、例えば0.2〜1ｍｍとしてもよい。一方、袋状取り付け部１１Ａにおける袋のサイズも、このような幅及び厚みを有する形状保持材（１３１，１３２，１３３）が丁度収納されるように設定することができる。ちなみに、これらよりも大きな幅に係る１つの実施形態について、後に図７を用いて説明を行う。
【００５２】
また、袋状取り付け部１１Ａ（覆い部位）は、本実施形態においてこの後述べるような各種布材で形成されており、洗濯等を行いつつ繰り返し使用していくうちに当該布材が伸びてしまい、そのサイズ、例えば袋の内径幅が広がってしまう。そこで予め、横幅の最大値が当初の（広がる前の）袋の内径幅よりも大きい形状保持材（１３１，１３２，１３３）を準備しておき、袋状取り付け部１１Ａの広がりに応じて適宜、丁度遊びなく収納される形状保持材（１３１，１３２，１３３）を使用していくことも好ましい。例えば、袋状取り付け部１１Ａにおける当初の（広がる前の）袋の内径幅が10.5ｍｍである場合に、それぞれ横幅の最大値が10ｍｍ、10.5ｍｍ及び11ｍｍである３つの形状保持材（１３１，１３２，１３３）を準備しておき、当初は、横幅の最大値が10ｍｍのものから使用していくこともよいのである。
【００５３】
次に同じく図１において、上記（Ａ）の覆い部位は、中央の取り付け部（袋状取り付け部１１Ａ）をその一部としているが、本実施形態においては中心線（図１）を境にして右覆い部位１１１及び左覆い部位１１２に分けられる。この覆い部位（１１１，１１２）は、通常のマスクに用いられる不織布や、帯電加工済みの不織布、さらには、綿織物（ガーゼ）や、フィルタ縫い込み型のガーゼ等から形成することができ、または、これらのうちの複数を重ね合わせた積層体とすることも好ましい。
【００５４】
ただし本実施形態においては、覆い部位（１１１，１１２）は、伸縮性を有しており所定以上の最大熱吸収速度を示す接触冷感布から形成されている。ここで、「所定以上の最大熱吸収速度」は、商品としてのマスクの性能設定にもよるが、例えばｑ−ｍａｘ値が0.2以上とすることも好ましい。また、このような接触冷感布は、例えばナイロン、ポリエステル、麻（リネン）、若しくはレーヨン等の合成繊維布、又は加工綿若しくは絹（シルク）等の天然繊維布とすることができ、さらに冷感を向上させるため、高密度編み構造となっていることも好ましい。また、直交する２方向について伸縮性を示す、すなわち２ＷＡＹストレッチの編み構造となっていることも好ましい。いずれにしても、このような接触冷感布は、マスク１の装着感を向上させ、さらに着用時の暑苦しさを低減することにも貢献するのである。
【００５５】
また変更態様として、覆い部位（１１１，１１２）は、少なくとも装着者の鼻孔及び口から見てそれぞれ右耳側及び左耳側となる２つの皮膚位置範囲を覆っている部分（図６に示す覆い部位離隔・接触部分）、本実施形態では覆い部位全体が、
（ａ）所定以上の最大熱吸収速度を示すおもて面と、
（ｂ）このおもて面よりも低い最大熱吸収速度を示す裏面と
を有する接触冷感布の単層で構成されていてもよい。ここで一般に、接触冷感布は、上記（ａ）のおもて面と上記（ｂ）の裏面とを備えた布材であることも少なくない。
【００５６】
この場合マスク１は、上記（ａ）のおもて面を着用者の顔側（内側）とすることもでき、または、上記（ｂ）の裏面を着用者の顔側（内側）とすることもできるリバーシブルタイプのマスクとすることができる。これにより、着用者は、例えば季節や環境に合わせて、苦しさの感覚のより少ない、より好適な装着態様を選択することも可能となるのである。
【００５７】
また更なる変更態様として、覆い部位（１１１，１１２）は、少なくとも装着者の鼻孔及び口から見てそれぞれ右耳側及び左耳側となる２つの皮膚位置範囲を覆っている部分（図６に示す覆い部位離隔・接触部分）、本実施形態では覆い部位全体が、
（ａ）所定以上の最大熱吸収速度を示す接触冷感布を最下層とし、
（ｂ）この接触冷感布よりも低い最大熱吸収速度を示す布を最上層とした
少なくとも２層の積層構造となっていてもよい。
【００５８】
この場合においてもマスク１は、上記（ａ）の最下層の接触冷感布を着用者の顔側（内側）とすることもでき、または、上記（ｂ）の最上層の布を着用者の顔側（内側）とすることもできるリバーシブルタイプのマスクとすることが可能である。これにより、着用者は、例えば季節や環境に合わせて、苦しさの感覚のより少ない、より好適な装着態様を選択することもできるのである。
【００５９】
最後に同じく図１において、上記（Ｂ）の装着用部位である右装着用部位１２１及び左装着用部位１２２は本実施形態において、それぞれ右覆い部位１１１及び左覆い部位１１２と同一のパーツからなる部位であり（具体的にはそれぞれ第１布パーツ及び第２布パーツで構成されており）、開口１２１ａ及び１２２ａを有している。着用者は、開口１２１ａ及び１２２ａの周囲をそれぞれ、自身の右耳介及び左耳介にかけることによってマスク１を着用することができる。
【００６０】
ここで、右装着用部位１２１及び左装着用部位１２２が（右覆い部位１１１及び左覆い部位１１２と同様に）伸縮性を有する布で形成されている場合、この着用動作はより容易になり、また、より安定した装着感を得ることも可能となる。なお勿論、右装着用部位１２１及び左装着用部位１２２は、他の装着態様をとる部位であってもよく、例えば耳かけ用の紐とすることもできる。
【００６１】
以上、本発明によるマスクの一実施形態としてのマスク１を詳細に説明したが、このマスクの構成要素である、取り付け部を含む覆い部位、装着用部位、及び形状保持材については、種々様々な変更態様が可能となっている。ただしいずれにしても、覆い部位の取り付け部として、以上に説明した袋状取り付け部１１Ａや、後に詳細に説明する袋状取り付け部２１Ａ（図３）、袋状取り付け部２１Ａ’（図４）、袋状取り付け部３１Ａ（図５）や、袋状取り付け部５１Ａ（図７）を採用することによって、パーツとして布材だけで構成することもできるので製造が比較的容易となる。また、このような袋状取り付け部内において、波形状の端辺を備えた形状保持材は、上下方向にずれることなく安定して固定され、装着感の向上に資することができるのである。
【００６２】
図３は、本考案によるマスクの他の実施形態を示す模式図である。
【００６３】
図３に示した本実施形態のマスク２は、
（ａ）覆い部位である右覆い部位２１１及び左覆い部位２１２と、
（ｂ）右覆い部位２１１及び左覆い部位２１２を着用者の頭部に固定させるための装着用部位である、開口２２１ａを有する右装着用部位２２１、及び開口２２２ａを有する左装着用部位２２２と、
（ｃ）覆い部位（右覆い部位２１１及び左覆い部位２１２）における上下方向の中心線（図３）に沿って取り付けられる形状保持材（２３１，２３２，２３３）であって、覆い部位（右覆い部位２１１及び左覆い部位２１２）の形成材よりも高い剛性を有しており、この形状保持材における少なくとも一方の長辺の少なくとも一部（図３では、形状保持材の両長辺における大部分）が、この形状保持材を含む面内において起伏する波形状となっている形状保持材（２３１，２３２，２３３）と
を備えており、
（ｄ）覆い部位（右覆い部位２１１及び左覆い部位２１２）は、中心線（図３）に沿って設けられた、形状保持材（２３１，２３２，２３３）をその中に収納する袋状の部分である（取り付け部としての）袋状取り付け部２１Ａを備えている
ことを特徴としている。
【００６４】
ここで、これらの部位・部分はそれぞれ、マスク１（図１）における対応する同じ名称の部位・部分と同様又は類似の材料・製造方法で形成されており、同様又は類似の構造・形状を有していて同様又は類似の変更態様をとることができ、さらに同様又は類似の機能・役割を果たし、同様又は類似の効果を奏功する部位・部分となっている。また特に、形状保持材２３１、２３２及び２３３はそれぞれ、形状保持材１３１、１３２及び１３３（図１）と同一物とすることもできるのである。
【００６５】
しかしながら、本実施形態のマスク２においては、マスク１（図１）とは異なり、覆い部位の一部分である袋状取り付け部２１Ａは、
（ａ）開口（２２１ａ，２２２ａ）とは反対側の端辺が外側に向けて凸となる曲線状となっている（マスク２の内側が凹むように曲がっている）第１布パーツ及び第２布パーツ（図３）と、
（ｂ）袋の一部となる縦長の第３布パーツ（図３）と
を縫合、接着又は熱圧着して形成された、中心線（図３）に沿って伸長する袋状の部分となっている。
【００６６】
より具体的には図３に示したように、本実施形態の袋状取り付け部２１Ａは、第１布パーツ及び第２布パーツの曲線状の端辺を合わせ、それらの端部を縫合（又は接着若しくは熱圧着）した上で、当該縫合による縫い目（又は接着又は熱圧着されたライン）を内側から覆うように上記（ｂ）の第３布パーツを押し当て、さらに、第３布パーツの上下方向に伸長した右耳側の端部と第１布パーツとを縫合（又は接着若しくは熱圧着）し、一方、第３布パーツの上下方向に伸長した左耳側の端部と第２布パーツとを縫合（又は接着若しくは熱圧着）することによって形成されている。ここでこの場合、縫合（又は接着若しくは熱圧着）された第１布パーツ及び第２布パーツと第３布パーツとの間に、形状保持材を挿入・収納可能な袋が形成されるのである。これにより、袋状取り付け部２１Ａは、マスク２の内側が凹むように曲がった形状を有するものとすることができ、また、マスク２も、装着感の向上したいわゆる立体マスクとすることが可能となるのである。
【００６７】
ここで、このような袋状取り付け部２１Ａに対し、曲がった形状を有する形状保持材２３１を、曲がった向きを合わせて挿入（収納）することも好ましい。または、直線的に伸長した形状保持材２３２や平板状の形状保持材２３３を袋状取り付け部２１Ａへ挿入（収納）し、形状保持材２３２や平板状の形状保持材２３３を、袋状取り付け部２１Ａの曲がった形状に合わせて曲げた状態にして用いてもよいのである。さらに、形状保持材として、例えば折れ曲がりを有さない、波形状の端辺を備えた曲面板状のものを採用することも可能である。
【００６８】
また勿論、袋状取り付け部２１Ａについても、袋状取り付け部１１Ａ（図１）と同様に、袋の下端部を縫合、接着又は熱圧着等によって閉じる一方、袋の上端をそのまま開放しておくか、または、形状保持材が容易に飛び出さないように当該上端に折り目や引っ掛かり等を入れた上で、形状保持材を指でつまんで袋から取り出せるようにしておくことも好ましい。この場合、非着用時には形状保持材を取り出しておくことによって、例えばマスク２を小さく折りたたんだり、マスク２の手洗いや専用装置による洗浄を行ったりすることも容易になるのである。
【００６９】
以上、本実施形態のマスク２においても、マスク１（図１）と同様、着用者が息を吸ったり吐いたりしても、覆い部位（右覆い部位２１１及び左覆い部位２１２）における形状保持材（２３１，２３２，２３３）の近傍部分と、着用者の鼻孔及び口との位置関係が、ほとんど変動することなく保持される。またその結果、吸う動作を行うたびに、覆い部位（２１１，２１２）の一部が鼻孔や口に間近まで接近したり張り付いたりする事態を回避することが可能となる。すなわち、マスク２によっても、着用時の息苦しさや暑苦しさといった苦しい感覚を低減することができるのである。
【００７０】
さらに、形状保持材（２３１，２３２，２３３）は、自身の横幅の最大部分が袋状の部分の内面にしっかり当たるように設計されていれば、波形状の端辺を有しているが故に、上下方向にずれることなく安定して袋状取り付け部２１Ａ内に固定される。これにより、着用時の苦しい感覚の低減効果を安定的に奏することができ、また、装着者に対しずれによる違和感を与えずに済む分、より良好な装着感を提供することも可能となる。さらに、袋状取り付け部２１Ａの上端を開放しておき形状保持材（２３１，２３２，２３３）を出し入れ（着脱）可能にしている場合であっても、収納された形状保持材（２３１，２３２，２３３）が意図せず飛び出してしまう事態を極力回避することが可能となる。また一方で、波形状の長辺を有する形状保持材（２３１，２３２，２３３）は、それほど大きな負担をかけることなく、袋状取り付け部２１Ａへ挿入（収納）されたり、袋状取り付け部２１Ａから取り出されたりすることもできるのである。
【００７１】
図４は、本考案によるマスクの更なる他の実施形態を示す模式図である。
【００７２】
図４に示した本実施形態のマスク２’は、以上に説明したマスク２（図３）において、覆い部位（２１１，２１２）に設けられた「袋状取り付け部２１Ａ」（図３）を、図４に示したような覆い部位（２１１’，２１２’）に設けられた「袋状取り付け部２１Ａ’」に置き換えたものである。
【００７３】
ここで袋状取り付け部２１Ａ’は、
（ａ）開口（２２１ａ，２２２ａ）とは反対側の端辺が外側に向けて凸となる曲線状となっている（マスク２’の内側が凹むように曲がっている）第１布パーツ及び第２布パーツ（図４）と、
（ｂ）袋を構成することになる縦長の第３布パーツ（図４）と
を縫合、接着又は熱圧着して形成された、中心線（図４）に沿って伸長する袋状の部分となっている。
【００７４】
より具体的には図４に示したように、本実施形態の袋状取り付け部２１Ａ’は、第３の布パーツにおける中心線（図４）に沿って伸長する左右の両端部を重畳させて袋状の部分を構成し、さらに、当該左右の両端部が重畳した部分を、第１の布パーツの（曲がった端辺側の）端部と第２の布パーツの（曲がった端辺側の）端部と共にまとめて縫合、接着又は熱圧着することによって形成されている。ここでこの場合、左右の両端部が重畳してまま縫合された第３布パーツの内側に、形状保持材を挿入・収納可能な袋が形成されるのである。
【００７５】
これにより、袋状取り付け部２１Ａ’は、マスク２’の内側が凹むように曲がった形状を有するものとすることができ、また、マスク２’も、装着感の向上したいわゆる立体マスクとすることが可能となるのである。
【００７６】
ここで、このような袋状取り付け部２１Ａ’に対し、曲がった形状を有する形状保持材２３１を、曲がった向きを合わせて挿入（収納）することも好ましい。または、直線的に伸長した形状保持材２３２や平板状の形状保持材２３３を袋状取り付け部２１Ａ’へ挿入（収納）し、形状保持材２３２や平板状の形状保持材２３３を、袋状取り付け部２１Ａ’の曲がった形状に合わせて曲げた状態にして用いてもよいのである。さらに、形状保持材として、例えば折れ曲がりを有さない、波形状の端辺を備えた曲面板状のものを採用することも可能である。
【００７７】
また勿論、袋状取り付け部２１Ａ’についても、袋状取り付け部２１Ａ（図３）と同様に、袋の下端部を縫合、接着又は熱圧着等によって閉じる一方、袋の上端をそのまま開放しておくか、または、形状保持材が容易に飛び出さないように当該上端に折り目や引っ掛かり等を入れた上で、形状保持材を指でつまんで袋から取り出せるようにしておくことも好ましい。この場合、非着用時には形状保持材を取り出しておくことによって、例えばマスク２’を小さく折りたたんだり、マスク２’の手洗いや専用装置による洗浄を行ったりすることも容易になるのである。
【００７８】
以上、本実施形態のマスク２’においても、マスク２（図３）と同様、着用者が息を吸ったり吐いたりしても、覆い部位（右覆い部位２１１’及び左覆い部位２１２’）における形状保持材（２３１，２３２，２３３）の近傍部分と、着用者の鼻孔及び口との位置関係が、ほとんど変動することなく保持される。またその結果、吸う動作を行うたびに、覆い部位（２１１’，２１２’）の一部が鼻孔や口に間近まで接近したり張り付いたりする事態を回避することが可能となる。すなわち、マスク２’によっても、着用時の息苦しさや暑苦しさといった苦しい感覚を低減することができるのである。
【００７９】
さらに、形状保持材（２３１，２３２，２３３）は、自身の横幅の最大部分が袋状の部分の内面にしっかり当たるように設計されていれば、波形状の端辺を有しているが故に、上下方向にずれることなく安定して袋状取り付け部２１Ａ’内に固定される。これにより、着用時の苦しい感覚の低減効果を安定的に奏することができ、また、装着者に対しずれによる違和感を与えずに済む分、より良好な装着感を提供することも可能となる。さらに、袋状取り付け部２１Ａ’の上端を開放しておき形状保持材（２３１，２３２，２３３）を出し入れ（着脱）可能にしている場合であっても、収納された形状保持材（２３１，２３２，２３３）が意図せず飛び出してしまう事態を極力回避することが可能となる。また一方で、波形状の長辺を有する形状保持材（２３１，２３２，２３３）は、それほど大きな負担をかけることなく、袋状取り付け部２１Ａ’へ挿入（収納）されたり、袋状取り付け部２１Ａ’から取り出されたりすることもできるのである。
【００８０】
図５は、本考案によるマスクの更なる他の実施形態を示す模式図である。
【００８１】
図５に示した本実施形態のマスク３は、
（ａ）覆い部位である右覆い部位３１１及び左覆い部位３１２と、
（ｂ）右覆い部位３１１及び左覆い部位３１２を着用者の頭部に固定させるための装着用部位である、開口３２１ａを有する右装着用部位３２１、及び開口３２２ａを有する左装着用部位３２２と、
（ｃ）覆い部位（右覆い部位３１１及び左覆い部位３１２）における上下方向の中心線（図５）に沿って取り付けられる形状保持材（３３１，３３２，３３３）であって、覆い部位（右覆い部位３１１及び左覆い部位３１２）の形成材よりも高い剛性を有しており、この形状保持材における少なくとも一方の長辺の少なくとも一部（図５では、形状保持材の両長辺における大部分）が、この形状保持材を含む面内において起伏する波形状となっている形状保持材（３３１，３３２，３３３）と
を備えており、
（ｄ）覆い部位（右覆い部位３１１及び左覆い部位３１２）は、中心線（図５）に沿って設けられた、形状保持材（３３１，３３２，３３３）をその中に収納する袋状の部分である（取り付け部としての）袋状取り付け部３１Ａを備えている
ことを特徴としている。
【００８２】
ここで、これらの部位・部分はそれぞれ、マスク１（図１）における対応する同じ名称の部位・部分と同様又は類似の材料・製造方法で形成されており、同様又は類似の構造・形状を有していて同様又は類似の変更態様をとることができ、さらに同様又は類似の機能・役割を果たし、同様又は類似の効果を奏功する部位・部分となっている。また特に、形状保持材３３１，３３２，３３３はそれぞれ、形状保持材１３１、１３２及び１３３（図１）と同一物とすることもできるのである。
【００８３】
しかしながら、本実施形態のマスク３においては、マスク１（図１）とは異なり、覆い部位の一部分である袋状取り付け部３１Ａは、
（ａ）開口３２１ａとは反対側の端辺が外側に向けて凸となる曲線状となっている（マスク３の内側が凹むように曲がっている）右耳側を被覆する第１布パーツ（図５）と、
（ａ）開口３２２ａとは反対側の端辺が外側に向けて凸となる曲線状となっている（マスク３の内側が凹むように曲がっている）左耳側を被覆する第２布パーツ（図５）と、
（ｂ）両者をもって袋状の部分が構成され、互いの間に形状保持材を収納することになる縦長の第３布パーツ及び第４布パーツ（図５）と
を縫合、接着又は熱圧着して形成された、中心線（図５）に沿って伸長する袋状の部分となっている。
【００８４】
より具体的には図５に示したように、本実施形態の袋状取り付け部３１Ａは、上記（ｂ）の第３布パーツと第４布パーツとを重ね合わせ、両者の上下方向に伸長した両端部を揃えた上で、重ね合わせた両者の右耳側の端部を第１布パーツの（曲がった端辺側の）端部と縫合（又は接着若しくは熱圧着）し、一方、重ね合わせた両者の左耳側の端部を第２布パーツの（曲がった端辺側の）端部と縫合（又は接着若しくは熱圧着）することによって形成されている。ここでこの場合、第３布パーツと第４布パーツとの間に、形状保持材を挿入・収納可能な袋が形成されるのである。
【００８５】
これにより、袋状取り付け部３１Ａは、マスク３の内側が凹むように曲がった形状を有するものとすることができ、またその結果、マスク３も、装着感の向上したいわゆる立体マスクとすることが可能となるのである。
【００８６】
ここで、このような袋状取り付け部３１Ａに対し、曲がった形状を有する形状保持材３３１を、曲がった向きを合わせて挿入（収納）することも好ましい。または、直線的に伸長した形状保持材３３２を袋状取り付け部３１Ａへ挿入（収納）し、形状保持材３３２を、袋状取り付け部３１Ａの曲がった形状に合わせて曲げた状態にして用いてもよい。
【００８７】
しかしながら本実施形態においては、袋状取り付け部３１Ａに挿入（収納）する形状保持材として、折れ曲がりを有さない平板状（又は曲面状）の形状保持材３３３を採用している。このように形状保持材３３３は、稜線を有する折り曲げ構造を備えていないので、布パーツの重なりが比較的に多い袋状取り付け部３１Ａへも、容易に挿入（収納）することが可能となる。
【００８８】
また勿論、袋状取り付け部３１Ａについても、袋状取り付け部１１Ａ（図１）と同様に、袋の下端部を縫合、接着又は熱圧着等によって閉じる一方、袋の上端をそのまま開放しておくか、または、形状保持材が容易に飛び出さないように当該上端に折り目や引っ掛かり等を入れた上で、形状保持材を指でつまんで袋から取り出せるようにしておくことも好ましい。この場合、非着用時には形状保持材を取り出しておくことによって、例えばマスク３を小さく折りたたんだり、マスク３の手洗いや専用装置による洗浄を行ったりすることも容易になるのである。
【００８９】
以上、本実施形態のマスク３においても、マスク１（図１）と同様、着用者が息を吸ったり吐いたりしても、覆い部位（右覆い部位３１１及び左覆い部位３１２）における形状保持材（３３１，３３２，３３３）の近傍部分と、着用者の鼻孔及び口との位置関係が、ほとんど変動することなく保持される。またその結果、吸う動作を行うたびに、覆い部位（３１１，３１２）の一部が鼻孔や口に間近まで接近したり張り付いたりする事態を回避することが可能となる。すなわち、マスク３によっても、着用時の息苦しさや暑苦しさといった苦しい感覚を低減することができるのである。
【００９０】
さらに、形状保持材（３３１，３３２，３３３）は、自身の横幅の最大部分が袋状の部分の内面にしっかり当たるように設計されていれば、波形状の端辺を有しているが故に、上下方向にずれることなく安定して袋状取り付け部３１Ａ内に固定される。これにより、着用時の苦しい感覚の低減効果を安定的に奏することができ、また、装着者に対しずれによる違和感を与えずに済む分、より良好な装着感を提供することも可能となる。さらに、袋状取り付け部３１Ａの上端を開放しておき形状保持材（３３１，３３２，３３３）を出し入れ（着脱）可能にしている場合であっても、収納された形状保持材（３３１，３３２，３３３）が意図せず飛び出してしまう事態を極力回避することが可能となる。また一方で、波形状の長辺を有する形状保持材（３３１，３３２，３３３）は、それほど大きな負担をかけることなく、袋状取り付け部３１Ａへ挿入（収納）されたり、袋状取り付け部３１Ａから取り出されたりすることもできるのである。
【００９１】
図６は、本考案によるマスクの奏する効果を説明するための模式図である。
【００９２】
図６に示した、着用者に着用されているマスクは、以上詳細に説明したマスク１（図１）、マスク２（図３）、マスク２’（図４）及びマスク３（図５）のうちのいずれか１つであり、以下、本マスク（１，２，２’，３）として説明を行う。なお、本マスクとして、後に図７を用いて説明する（マスク１と同様若しくは類似の構造を有する）マスク５を採用することも可能となっている。
【００９３】
本実施形態においては、本マスク（１，２，２’，３）の覆い部位及び装着用部位は、伸縮性を有しており所定以上の（本実施形態ではｑ−ｍａｘ値が0.2以上の）最大熱吸収速度を示す接触冷感布（積層構造の場合は、さらにその外側に積層された布）によって構成されている。また、袋状取り付け部（１１Ａ，２１Ａ，２１Ａ’，３１Ａ）には、形状保持材（１３１，１３２，１３３，２３１，２３２，２３３，３３１，３３２，３３３）が挿入・収納されており、覆い部位における形状保持材の近傍部分と、装着者の鼻孔及び口とは、概ね一定の間隔をもって離隔している。さらに、覆い部位における形状保持材の近傍以外の部分は、接触冷感布を含む単一面状の布（積層構造の場合、接触冷感布とその外側に積層された布）のみで構成されている。すなわち、プリーツ等の構造を有していない。
【００９４】
ここで、図６に示すように本マスク（１，２，２’，３）が着用者に着用されている状況において、着用者が呼吸（鼻呼吸及び／又は口呼吸）を行った場合、
（ア）覆い部位における「形状保持材の近傍部分」と、装着者の鼻孔及び口との離隔した位置関係は保たれた状態で（当該近傍部分と鼻孔及び口とが概ね一定の間隔をもって離隔したまま）、
（イ）装着者の鼻孔及び口から見てそれぞれ右耳側及び左耳側となる２つの皮膚位置範囲を覆っている覆い部位の２つの部分（図６の「覆い部位離隔・接触部分」）が、着用者の呼吸に合わせて当該皮膚位置範囲に対し離隔したり接触したりする
のである。
【００９５】
すなわち、上記（ア）の「形状保持材の近傍部分」と、装着者の両耳介にかけられた装着用部位とが顔上での位置をほとんど変えない状態において、その間に挟まれている「覆い部位離隔・接触部分」は、（単一面状の布のみで構成されていることによって）着用者の呼吸に合わせて当該皮膚位置範囲に対し離隔したり接触したりするのである。これにより、装着者の息を吸う動作のたびに、
（ａ）覆い部位の一部が鼻孔や口に間近まで接近したり張り付いたりすることなしに、
（ｂ）接触冷感布が当該皮膚位置範囲に改めて（繰り返し）接触することとなり、
結果として、装着時の暑苦しさをより低減することも可能となるのである。
【００９６】
なお、以上に述べた「覆い部位離隔・接触部分」の具体的な位置範囲やその面積は、マスクの設計内容や着用者の顔の形状によって、さらには装着者の呼吸の態様によって変化し得るが、本実施形態の本マスクは、少なくともこのような「覆い部位離隔・接触部分」が見た目で分かる程度にまで発現することをその特徴としているのである。
【００９７】
図７は、本考案によるマスクの更なる他の実施形態を示す模式図である。
【００９８】
図７に示した本実施形態のマスク５は、
（ａ）覆い部位である右覆い部位５１１及び左覆い部位５１２と、
（ｂ）右覆い部位５１１及び左覆い部位５１２を着用者の頭部に固定させるための装着用部位である、開口５２１ａを有する右装着用部位５２１、及び開口５２２ａを有する左装着用部位５２２と、
（ｃ）覆い部位（右覆い部位５１１及び左覆い部位５１２）における上下方向の中心線（図７）に沿って取り付けられる形状保持材（５３１，５３２）であって、覆い部位（右覆い部位５１１及び左覆い部位５１２）の形成材よりも高い剛性を有しており、この形状保持材における少なくとも一方の長辺の少なくとも一部（図７では、形状保持材の両長辺における大部分）が、この形状保持材を含む面内において起伏する波形状となっている形状保持材（５３１，５３２）と
を備えており、
（ｄ）覆い部位（右覆い部位５１１及び左覆い部位５１２）は、中心線（図７）に沿って設けられた、形状保持材（５３１，５３２）をその中に収納する袋状の部分である（取り付け部としての）袋状取り付け部５１Ａを備えている
ことを特徴としている。
【００９９】
ここで、これらの部位・部分はそれぞれ、マスク１（図１）における対応する同じ名称の部位・部分と同様又は類似の材料・製造方法で形成されており、同様又は類似の構造・形状を有していて同様又は類似の変更態様をとることができ、さらに同様又は類似の機能・役割を果たし、同様又は類似の効果を奏功する部位・部分となっている。また特に、袋状取り付け部５１Ａは、第１布パーツ及び第２布パーツを用いた、袋状取り付け部１１Ａと同様の形成方法によって形成されている。
【０１００】
しかしながら、本実施形態のマスク５においては、形状保持材（５３１，５３２）における（平らに伸ばした際の）左右方向の横幅は、形状保持材（１３１，１３２，１３３）（図１）よりも大きく設定されており、例えば30〜70ミリメートル（ｍｍ）となっている。一方、その厚みは、形状保持材（１３１，１３２，１３３）（図１）と同様、例えば0.2〜1ｍｍとなっている。また、袋状取り付け部５１Ａにおける袋のサイズも、このような幅及び厚みを有する形状保持材（５３１，５３２）が丁度収納されるように設定されている。
【０１０１】
このように、より幅広の形状保持材（５３１，５３２）を用いることによって、覆い部位（５１１，５１２）の一部が鼻孔や口に間近まで接近したり張り付いたりする事態をより確実に回避することが可能となるのである。
【０１０２】
さらに本実施形態において、形状保持材５３１は、幅広であることを生かし、マスク５の着用時における息苦しさや暑苦しさをより低減するため、少なくとも１つの（図７では６つの）貫通した通気孔５３１ａを有している。また、一方の形状保持材５３２は、同じく幅広であることを生かし、花粉やウイルス等を含んだ飛沫が着用されたマスク５を通過する事態をより確実に阻止するため、フィルタとしての機能を果たす網目状部分５３２ａを有している。
【０１０３】
また勿論、袋状取り付け部５１Ａについても、袋状取り付け部１１Ａ（図１）と同様に、袋の下端部を縫合、接着又は熱圧着等によって閉じる一方、袋の上端をそのまま開放しておくか、または、形状保持材が容易に飛び出さないように当該上端に折り目や引っ掛かり等を入れた上で、形状保持材を指でつまんで袋から取り出せるようにしておくことも好ましい。この場合、非着用時には形状保持材を取り出しておくことによって、例えばマスク５を小さく折りたたんだり、マスク５の手洗いや専用装置による洗浄を行ったりすることも容易になるのである。
【０１０４】
以上、本実施形態のマスク５においても、マスク１（図１）と同様、着用者が息を吸ったり吐いたりしても、覆い部位（右覆い部位５１１及び左覆い部位５１２）における形状保持材（５３１，５３２）の近傍部分と、着用者の鼻孔及び口との位置関係が、ほとんど変動することなく保持される。またその結果、吸う動作を行うたびに、覆い部位（５１１，５１２）の一部が鼻孔や口に間近まで接近したり張り付いたりする事態を回避することが可能となる。すなわち、マスク５によっても、着用時の息苦しさや暑苦しさといった苦しい感覚を低減することができるのである。
【０１０５】
さらに、形状保持材（５３１，５３２）は、自身の横幅の最大部分が袋状の部分の内面にしっかり当たるように設計されていれば、波形状の端辺を有しているが故に、上下方向にずれることなく安定して袋状取り付け部５１Ａ内に固定される。これにより、着用時の苦しい感覚の低減効果を安定的に奏することができ、また、装着者に対しずれによる違和感を与えずに済む分、より良好な装着感を提供することも可能となる。さらに、袋状取り付け部５１Ａの上端を開放しておき形状保持材（５３１，５３２）を出し入れ（着脱）可能にしている場合であっても、収納された形状保持材（５３１，５３２）が意図せず飛び出してしまう事態を極力回避することが可能となる。また一方で、波形状の長辺を有する形状保持材（５３１，５３２）は、それほど大きな負担をかけることなく、袋状取り付け部５１Ａへ挿入（収納）されたり、袋状取り付け部５１Ａから取り出されたりすることもできるのである。
【０１０６】
以上詳細に説明したように、本考案のマスクは、形状保持材が、取り付け部によって上下方向の中心線に沿って取り付けられている。これにより、本マスクの着用者が息を吸ったり吐いたりしても、覆い部位における形状保持材の近傍部分と、着用者の鼻孔及び口との離隔した位置関係が、ほとんど変動することなく保持されるのである。またその結果、吸う動作を行うたびに、覆い部位の一部が鼻孔や口に間近まで接近したり張り付いたりする事態を回避することが可能となる。すなわち、本マスクによれば、着用時の息苦しさや暑苦しさといった苦しい感覚を低減することができるのである。
【０１０７】
また特に、ウイルス感染症の拡大が懸念される状況においては、外出の際には夏場であってもマスクを長時間着用することが大いにあり得るが、そのような場合でも、本マスクを着用することによって、例えば熱中症の予防に資することも可能となる。
【０１０８】
なお、以上に述べた実施形態は全て、本考案を例示的に示すものであって限定的に示すものではなく、本考案は、他の種々の変形態様及び変更態様で実施することができる。従って、本考案の範囲は、実用新案登録請求の範囲及びその均等範囲によってのみ規定されるものである。
【符号の説明】
【０１０９】
１、２、２’、３、５  マスク
１１１、２１１、２１１’、３１１、５１１  右覆い部位（覆い部位）
１１２、２１２、２１２’、３１２、５１２  左覆い部位（覆い部位）
１１Ａ、２１Ａ、２１Ａ’、３１Ａ、５１Ａ  袋状取り付け部(取り付け部)
１２１、２２１、３２１、５２１  右装着用部位（装着用部位）
１２２、２２２、３２２、５２２  左装着用部位（装着用部位）
１２１ａ、１２２ａ、２２１ａ、２２２ａ、３２１ａ、３２２ａ、５２１ａ、５２２ａ  開口
１３１、１３２、１３３、２３１、２３２、２３３、３３１、３３２、３３３、５３１、５３２  形状保持材
５３１ａ  通気孔
５３２ａ  網目状部分
【図１】
0003229411.tif 000003
【図２】
0003229411.tif 000004
【図３】
0003229411.tif 000005
【図４】
0003229411.tif 000006
【図５】
0003229411.tif 000007
【図６】
0003229411.tif 000008
【図７】
0003229411.tif 000009